(57)【要約】【課題】豪雨などの厳しい条件等では、ロック機構を備えたケース体とカバー体の合わせ部からエアクリーナの内部に雨水が侵入することがある。【解決手段】カバー体３２から延ばしたロック爪３９と、このロック爪３９の両側にカバー体３２から延ばした縦壁部４３と、ロック爪３９に対応してケース体３１に設けたロック爪挿入部３４と、このロック爪挿入部３４にロック爪３９を挿入したときに、縦壁部４３に被せる様にロック爪挿入部３４から張り出した横庇部４５と、ケース体３１とカバー体３２との合わせ面を越えてロック爪挿入部３４からカバー体３２側へ張り出した前庇部４４とからなることを特徴とする。【効果】エアクリーナのロック機構における防水性能を格段に向上することができる。【選択図】        図６
2005023860.tif 000002
【特許請求の範囲】
【請求項１】
気化器に連通する開口と外気導入用穴とを備えたケース体と、前記ケース体に被せるカバー体と、このカバー体を前記ケース体に揺動自在に連結するヒンジと、カバー体をケース体にロックするロック機構と、カバー体とケース体との間に介在させたエレメントと、からなるエアクリーナにおいて、
前記ロック機構は、前記カバー体から延ばしたロック爪と、このロック爪の両側にカバー体から延ばした縦壁部と、前記ロック爪に対応して前記ケース体に設けたロック爪挿入部と、このロック爪挿入部にロック爪を挿入したときに前記縦壁部に被せることができる様に前記ロック爪挿入部から張り出した横庇部と、ケース体とカバー体との合わせ面を越えて前記ロック爪挿入部からカバー体側へ張り出した前庇部と、からなることを特徴とするエアクリーナ。
【請求項２】
前記カバー体側に前記ロック爪挿入部から流れ落ちる雨水を受けて排出する樋状段部を設けたことを特徴とする請求項１記載のエアクリーナ。
【発明の詳細な説明】
【０００１】
【発明の属する技術分野】
本発明はエアクリーナの改良に関する。
【０００２】
【従来の技術】
従来、エアクリーナに関しては各種の改良技術が提案されている（例えば、特許文献１参照。）。
【０００３】
【特許文献１】
実開昭６２−８７１６６号公報（第１図）
【０００４】
図１１は特許文献１の第１図の再掲図であり、エアクリーナ（１）は、本体（３）にフィルター（１７）を収め、蓋部（３１）で抑える構造物である。本体（３）から係止部（３７）を延ばし、係止部（３７）に係止爪（３９）を設け、この係止爪（３９）により蓋部（３１）を係止める。
【０００５】
しかし、係止部（３７）が本体（３）から張り出しているため、矢印▲１▼のごとく物体が当たると、蓋部（３１）から係止爪（３９）が外れ、蓋部（３１）が外れる虞がある。
【０００６】
特に屋外での作業が主となる耕うん機に、エアクリーナ（１）を採用すると、耕す領域の両側に防寒用の木々を植える等の使用環境において、エアクリーナに草木が頻繁に当たるため、係止爪（３９）の外れ対策が不可欠となる。そこで、係止部（３７）をコ字状のカバーで囲う対策が考えられる。コ字状カバーを備えたエアクリーナの一例を次図で説明する。
【０００７】
図１２は従来のエアクリーナの説明図であり、エアクリーナ１００は、ケース体１０１と、このケース体１０１のなかに図示せぬエレメントをセットし、ケース体１０１をカバー体１０２で覆い、図示せぬ外気導入用穴から吸入した空気を、エレメントを通して気化器に送る機能をもち、カバー体１０２をケース体１０１にロックするロック機構１０３を備えたことを示す。
【０００８】
このエアクリーナの作用を図１３と図１４とにより以下に説明する。
図１３は図１２の１３−１３線断面図であり、図１４は図１２の１４−１４線断面図である。
【０００９】
【発明が解決しようとする課題】
しかし、図１３において、風雨を伴う豪雨などの厳しい条件下で長時間使用すると、エアクリーナ１００の内部にケース体１０１とカバー体１０２の合わせ部から矢印ａの経路を通って雨水が侵入することがある。
【００１０】
さらに、図１４において、ロック機構１０３のケース体１０１側に備えたロック爪挿入部１０４がケース体１０１とカバー体１０２との合わせ面１０５まで延びていないので、風雨を伴う豪雨などの厳しい条件下で長時間使用すると、エアクリーナ１００の内部にロック機構１０３のケース体１０１とカバー体１０２の合わせ面１０５から矢印ｂの経路を通って雨水が侵入することがある。
【００１１】
エアクリーナ１００の内部に雨水が侵入すると、エアクリーナ１００から原動機内に水が侵入し、燃焼不良が起こる可能性がある。
【００１２】
そこで、本発明の目的は、パッキン等の追加部品を必要としないで防水性に優れ、カバーの脱着操作性が良好なエアクリーナを提供することにある。
【００１３】
【課題を解決するための手段】
上記目的を達成するために請求項１は、気化器に連通する開口と外気導入用穴とを備えたケース体と、ケース体に被せるカバー体と、このカバー体をケース体に揺動自在に連結するヒンジと、カバー体をケース体にロックするロック機構と、カバー体とケース体との間に介在させたエレメントと、からなるエアクリーナにおいて、ロック機構は、カバー体から延ばしたロック爪と、このロック爪の両側にカバー体から延ばした縦壁部と、ロック爪に対応してケース体に設けたロック爪挿入部と、このロック爪挿入部にロック爪を挿入したときに縦壁部に被せることができる様にロック爪挿入部から張り出した横庇部と、ケース体とカバー体との合わせ面を越えてロック爪挿入部からカバー体側へ張り出した前庇部と、からなることを特徴とする。
【００１４】
ロック爪と平行にカバー体から縦壁部を延ばし、ケース体のロック爪挿入部から横庇部を縦壁部の上下に被せるように張り出して、この縦壁部と横庇部とを組み合わせたラビリンス構造とした。
縦壁部と横庇部とからなるラビリンス構造としたので、雨水が縦壁を越えてエアクリーナ内部に侵入することを防ぐことができる。
【００１５】
また、ケース体とカバー体との合わせ面を越えてロック爪挿入部からカバー体側へ前庇部を張り出した。
この結果、合わせ面からの雨水の浸入を防止することができる。
【００１６】
ロック機能の周囲に形成した縦壁部と横庇部と前庇部とを組み合わせることによって、上からの雨だけでなく、風を伴う横方向や下側から吹き付け・吹き上げる雨に対してのエアクリーナの防水性を格段に向上させることができる。
【００１７】
請求項２は、カバー体側にロック爪挿入部から流れ落ちる雨水を受けて排出する樋状段部を設けたことを特徴とする。
【００１８】
カバー体側に樋状段部を設けたので、ロック爪挿入部から滴下する雨水を樋状段部で受け、この樋状段部を通じて雨水を迅速にカバー体の外方に排出することができる。
樋状段部を設けたので、カバー体に雨水の水滴が滞留し難くなり、エアクリーナ内部へロック機構からの雨水の浸入を防止することができる。
【００１９】
【発明の実施の形態】
本発明の実施の形態を添付図に基づいて以下に説明する。なお、図面は符号の向きに見るものとする。
図１は本発明を適用した耕うん機の一例を示す斜視図であり、耕うん機１０は原動機１３から動力伝達軸２４を介して動力伝達軸２４の下方に配置した耕うん装置１４へ動力を伝達する機構を備えた農業機械である。
【００２０】
図において、オペレータＰは、耕うん機１０のハンドルフレーム１２を握り、傾斜させ地上に向け延設したハンドルフレーム１２の下方に搭載した原動機１３の動力により耕うん装置１４を回転させて、この耕うん装置１４で圃場（ほじょう）Ｇを耕すことができることを示す。
【００２１】
耕うん機１０は地表面と平行な面１５に対し傾き（９０＋θ）°で傾いた姿勢にあるが、面１５の傾斜によって角度θ°が変化し、それに伴い耕うん機１０の姿勢も変化する。
【００２２】
図２は本発明に係るエアクリーナの正面図であり、原動機１３は、原動機１３の正面に取付けたエアクリーナ３０と、エアクリーナ３０の上部に取付けたチョークレバー２１と、エアクリーナ３０の側方に取付けた燃料タンク２２とを備えたことを示す。
エアクリーナ３０は、ケース体３１と、ケース体３１のなかにセットした図示せぬエレメントと、前記ケース体３１を覆ったカバー体３２とからなる。
【００２３】
エアクリーナ３０のケース体３１とカバー体３２とは、ヒンジ機構３６とロック機構３３とで固定する。このヒンジ機構３６は、一対のヒンジ３７と爪３８とからなり、２箇所に配置した。前記ロック機構３３は、一対のロック爪挿入部３４と２本のロック爪３９とからなる。
【００２４】
すなわち、ケース体３１の一辺４１にヒンジ３７を備え、この一辺４１に対向する辺４２にロック爪挿入部３４を備えた。ケース体３１側のヒンジ３７とロック爪挿入部３４とに対応し、カバー体３２側に爪３８とロック爪３９とを備えた。
【００２５】
図３は、本発明に係るエアクリーナの要部上面図であり、カバー体３２から延ばしたロック爪３９と、このロック爪３９の両側にカバー体３２から延ばした縦壁部４３と、ロック爪３９に対応してケース体３１に設けたロック爪挿入部３４とを主な構成要素とし、ロック爪３９とロック爪挿入部３４とが嵌合したことを示す。
ロック爪挿入部３４は、ロック爪挿入部３４から、ケース体３１とカバー体３２との合わせ面３５を越えてカバー体３２側へ張り出した前庇部４４を備えた。
【００２６】
図４は本発明に係るエアクリーナの要部背面図であり、カバー体３２から延ばした縦壁部４３の上下を包むように、ケース体３１のロック爪挿入部３４から横庇部４５を延設したことを示す。
また、ロック爪挿入部３４にロック爪３９の先端部が嵌ったことを示す。
【００２７】
図５は図２の５−５線断面図であり、ケース体３１側のエレメント４６取付面の周囲はケース体３１から延設した突出部４９を備え、カバー体３２の側壁の内側と嵌合したことを示す。
なお、カバー体３２側のロック爪３９付け根部の周辺に樋状段部５１を設けた。
【００２８】
図６は本発明に係るエアクリーナの分解斜視図であり、ロック機構３３は、前述のように、ケース体３１のロック爪挿入部３４から上下に張り出した横庇部４５と、このロック爪挿入部３４からケース体３１とカバー体３２との合わせ面を越えてロック爪挿入部３４からカバー体３２側へ張り出した前庇部４４と、カバー体３２から延ばしたロック爪３９と、このロック爪３９の両側にカバー体３２から延ばした縦壁部４３とからなる。
４６はエレメント、４７は気化器に連通する開口、４８は外気導入用穴である。
【００２９】
カバー体３２側にロック爪挿入部３４から流れ落ちる雨水を受けて排出する樋状段部５１を設けた。この樋状段部５１は凹面形状をなし、雨水の流れる上面部５２と、左右の縦壁面部５３、５４と、奥縦壁面部５５とからなる。
【００３０】
カバー体３２側に樋状段部５１を設けたので、ロック爪挿入部３３の前庇部４４等から流れ落ちる雨水を樋状段部５１の上面部５２で受け、樋状段部５１の奥縦壁面部５５で雨水に対するシール面を確保し、この樋状段部５１の上面５２を通じて、雨水を迅速にカバー体３２の外部に排出することができる。
樋状段部５１を設けたので、雨水に対するシール性が向上すると共に、カバー体３２に雨水の水滴が滞留し難くなり、エアクリーナ３０内部へロック機構３３からの雨水の浸入を防ぐことができる。
【００３１】
図７はエア取り入れ時のエアクリーナの説明図であり、外気導入用穴４８から取り入れた空気は、エレメント４６を通過し濾過され、ケース体３１に備えた開口４７を通じて気化器に入ることができる。
【００３２】
図８は降雨時のエアクリーナの防水機能を示す説明図であり、ケース体３１にカバー体３２を被せ図示せぬヒンジ機構とロック機構３３とによりケース体３１とカバー体３２とをロックしたことを示す。
【００３３】
ロック機構３３は前述のように、ロック爪３９（図６参照）と、このロック爪３９の両側に延ばした縦壁部４３と、ロック爪挿入部３４と、このロック爪挿入部３４にロック爪３９を挿入したときに縦壁部４３に被せるようにロック爪挿入部３４から張り出した横庇部４５と、ケース体とカバー体との合わせ面を越えてカバー体３２側へ張り出した前庇部４４とからなる。
【００３４】
ロック爪３９に平行にカバー体３２から縦壁部４３（図６参照）を延ばし、ロック爪挿入部３４から張り出し縦壁部４３の上下に被せた横庇部４５とを組み合わせたラビリンス構造とした。
この結果、雨水が縦壁部４３を越えてエアクリーナ３０内部に侵入することを防ぐことができる。
【００３５】
また、ケース体３１とカバー体３２との合わせ面を越えてロック爪挿入部３４からカバー体３２側へ前庇部４４を張り出して構成した。
この結果、合わせ面からの雨水の浸入を防止することができる。
【００３６】
さらに、カバー体３２側に樋状段部５１を設けたので、樋状段部５１の奥縦壁部５５（図６参照）で雨水に対するシール面を確保すると共に、ロック爪挿入部３３の前庇部４４等から流れ落ちる雨水を樋状段部５１の上面部５２で受け、この上面部５２を通じて雨水を迅速にカバー体３２の外方に排出することができる。
この結果、雨水に対するシール性が向上すると共に、カバー体３２の上に雨水の水滴が滞留し難くなり、エアクリーナ３０内部へロック機構３３からの雨水の浸入を防ぐことができる。
【００３７】
上記のロック機構３３の周囲に形成した縦壁部４３と、横庇部４５と、前庇部４４とを組み合わせることによって、通常の上からの雨だけでなく、風を伴って横方向や下側から吹き付け・吹き上げる雨に対しての防水性を格段に向上することができる。樋状段部５１によって、カバー体３２上の雨水は迅速に排出されるので、エアクリーナ３０内部への雨水の浸入の可能性を一層減らすことができる。
【００３８】
もとより、エアクリーナ３０含む原動機１３を備えた耕うん機１０の姿勢は、作業環境等により刻々変化するため、あらゆる方向からの雨などの吹き付けに対するエアクリーナ３０の防水性の確保は必須条件となるが、本発明によれば十分な防水性能を確保することができる。
【００３９】
ケース体３１に形成したヒンジ３７に対応してカバー体３２に形成した爪を差し込み、次に対向する辺に形成したケース体３１のロック爪挿入部３４にカバー体３２のロック爪３９を差し込み固定することで、カバー体３２の良好な脱着操作性も確保することができる。
【００４０】
図９は図８の９−９線断面図であり、ロック機構３３周辺の防水構造は、カバー体３２から延設した縦壁部４３と、ロック爪挿入部３４から張り出した横庇部４５とからなるラビリンス構造とした。
【００４１】
風雨を伴う豪雨などの厳しい条件下で長時間使用しても、縦壁部４３と横庇部４５とを組み合わせたラビリンス構造としたので、矢印ａの経路を通って侵入した雨水が、ロック爪挿入部３４まで到達する可能性を大幅に減らすことができる。
この結果、エアクリーナ３０内部への雨水の侵入を防止することができる。
【００４２】
図１０は図８の１０−１０線断面図であり、ロック機構３３周辺の防水構造は、
ロック機構３３のケース体３１側に備えたロック爪挿入部３４がケース体３１とカバー体３２との合わせ面３５を越えてロック爪挿入部３４からカバー体３２側へ張り出すように前庇部４４を延設した。
【００４３】
風雨を伴う豪雨などの厳しい条件下で長時間使用しても、例えば矢印ｂの経路を通った雨水は、前庇部４４が防御するのでロック機構３３のケース体３１とカバー体３２の合わせ面３５まで到達する可能性を大幅に低減することができる。
この結果、エアクリーナ３０内部への雨水の侵入を防止することができる。
【００４４】
尚、必要なエアクリーナ３０（図６参照）の容量・サイズによって、ロック機構３３の縦壁部４３の長さ・高さ、延設する前庇部４４の長さ、及び横庇部４５の長さを適宜増減することで所定の防水性能を得ることができる。
【００４５】
【発明の効果】
本発明は上記構成により次の効果を発揮する。
請求項１は、ロック爪に平行にカバー体から縦壁部を延ばし、ロック爪挿入部から張り出し縦壁部の上下に被せた横庇部とを組み合わせたラビリンス構造とした。
この結果、雨水が縦壁を越えてエアクリーナ内部に侵入することを防ぐことができる。
【００４６】
また、ケース体とカバー体との合わせ面を越えてロック爪挿入部からカバー体側へ前庇部を張り出して構成した。
この結果、合わせ面からの雨水の浸入を防止することができる。
【００４７】
請求項２は、カバー体側にロック爪挿入部から流れ落ちる雨水を受けて排出する樋状段部を設けたので、この樋状段部を通じて雨水を迅速にカバー体の外方に排出することができる。
この結果、カバー体上の雨水は外部に流れ落ち易くなり、エアクリーナ内部への雨水の浸入の可能性を一層減らすことができる。
【００４８】
ロック機能の周囲に形成した縦壁部と横庇部と前庇部とを組み合わせることによって、通常の上からの雨だけでなく、横方向や下側から吹き付け・吹き上げるる雨に対しての防水性を格段に向上させることができる。
【図面の簡単な説明】
【図１】本発明を適用した耕うん機の一例を示す斜視図
【図２】本発明に係るエアクリーナの正面図
【図３】本発明に係るエアクリーナの要部上面図
【図４】本発明に係るエアクリーナの要部背面図
【図５】図２の５−５線断面図
【図６】本発明に係るエアクリーナの分解斜視図
【図７】エア取り入れ時のエアクリーナの説明図
【図８】降雨時のエアクリーナの防水機能を示す説明図
【図９】図８の９−９線断面図
【図１０】図８の１０−１０線断面図
【図１１】特許文献１の第１図の再掲図
【図１２】従来のエアクリーナの説明図
【図１３】図１２の１３−１３線断面図
【図１４】図１２の１４−１４線断面図
【符号の説明】
３０…エアクリーナ、３１…ケース体、３２…カバー体、３３…ロック機構、３４…ロック爪挿入部、３５…合わせ面、３９…ロック爪、４３…縦壁部、４４…前庇部、４５…横庇部、５１…樋状段部。
【図１】
2005023860.tif 000003
【図２】
2005023860.tif 000004
【図３】
2005023860.tif 000005
【図４】
2005023860.tif 000006
【図５】
2005023860.tif 000007
【図６】
2005023860.tif 000008
【図７】
2005023860.tif 000009
【図８】
2005023860.tif 000010
【図９】
2005023860.tif 000011
【図１０】
2005023860.tif 000012
【図１１】
2005023860.tif 000013
【図１２】
2005023860.tif 000014
【図１３】
2005023860.tif 000015
【図１４】
2005023860.tif 000016